(57)【要約】【課題】立体映像を再現させる機能を必要最小限に抑えることが可能な映像出力装置を提供する。【解決手段】この液晶テレビジョン装置１００（映像出力装置）は、左眼用映像信号Ｌと右眼用映像信号Ｒとを含む３次元映像を出力する表示パネル出力回路部２５と、３次元映像の左眼用映像信号Ｌと右眼用映像信号Ｒとを比較する映像信号比較回路部２３と、映像信号比較回路部２３による比較結果に基づいて、左眼用映像信号Ｌと右眼用映像信号Ｒとが略同じであると判断した場合に、左眼用映像信号Ｌと右眼用映像信号Ｒとを表示パネル出力回路部２５から２次元的な映像として出力させる制御を行う制御部１６とを備える。【選択図】図３
2012235218.tif 000002
【特許請求の範囲】
【請求項１】
左眼用映像信号と右眼用映像信号とを含む３次元映像を出力する出力部と、
前記３次元映像の前記左眼用映像信号と前記右眼用映像信号とを比較する比較部と、
前記比較部による比較結果に基づいて、前記左眼用映像信号と前記右眼用映像信号とが略同じであると判断した場合に、前記左眼用映像信号と前記右眼用映像信号とを前記出力部から２次元映像として出力させる制御を行う制御部とを備える、映像出力装置。
【請求項２】
前記制御部は、前記左眼用映像信号と前記右眼用映像信号とを所定のタイミングで交互に切り換えることにより前記出力部から前記３次元映像として出力させる制御を行うように構成されており、
前記制御部は、前記比較部による比較結果に基づいて、前記左眼用映像信号と前記右眼用映像信号とが略同じであると判断した場合に、前記左眼用映像信号と前記右眼用映像信号とを前記所定のタイミングで交互に切り換えずに前記出力部から出力させることにより、前記左眼用映像信号と前記右眼用映像信号とを前記２次元映像として出力させる制御を行うように構成されている、請求項１に記載の映像出力装置。
【請求項３】
前記制御部は、入力された前記３次元映像を前記左眼用映像信号と前記右眼用映像信号とに分離した状態で前記左眼用映像信号と前記右眼用映像信号とを前記比較部に比較させる制御を行うように構成されている、請求項１または２に記載の映像出力装置。
【請求項４】
前記出力部から出力された前記左眼用映像信号および前記右眼用映像信号を表示する表示部をさらに備え、
前記制御部は、前記左眼用映像信号と前記右眼用映像信号とを前記出力部から前記２次元映像として出力させる制御を行う際に、前記左眼用映像信号と前記右眼用映像信号とを前記出力部から前記３次元映像として出力させる場合よりも前記表示部の輝度を下げた状態で、前記出力部から前記２次元映像として出力させる制御を行うように構成されている、請求項１〜３のいずれか１項に記載の映像出力装置。
【請求項５】
前記表示部は、前記３次元映像が表示される表示パネルと、前記表示パネルに光を照射する光源部とを含み、
前記制御部は、前記左眼用映像信号と前記右眼用映像信号とを前記出力部から前記２次元映像として出力させる制御を行う際に、前記左眼用映像信号と前記右眼用映像信号とを前記出力部から前記３次元映像として出力させる場合よりも前記光源部の輝度を下げた状態で、前記出力部から前記２次元映像として出力させる制御を行うように構成されている、請求項４に記載の映像出力装置。
【請求項６】
前記表示部に出力される前記３次元映像を鑑賞するための眼鏡をさらに備え、
前記制御部は、前記左眼用映像信号と前記右眼用映像信号とを所定のタイミングで交互に切り換えることにより前記出力部から前記３次元映像として出力させる制御を行うとともに、前記所定のタイミングに同期させて前記眼鏡を駆動する制御を行うように構成されており、さらに、前記制御部は、前記左眼用映像信号と前記右眼用映像信号とを前記所定のタイミングで交互に切り換えずに前記出力部から出力させることにより前記２次元映像として出力させる制御を行う際に、前記所定のタイミングに同期させて前記眼鏡を駆動させる制御を停止するように構成されている、請求項４または５に記載の映像出力装置。
【請求項７】
前記制御部は、前記所定のタイミングに同期させて前記眼鏡を駆動させる制御を停止した後に、前記左眼用映像信号と前記右眼用映像信号とを前記出力部から前記３次元映像として出力させる場合よりも前記表示部の輝度を下げた状態で、前記出力部から前記２次元映像として出力させる制御を行うように構成されている、請求項６に記載の映像出力装置。
【請求項８】
前記制御部は、前記左眼用映像信号と前記右眼用映像信号とを前記出力部から前記２次元映像として出力させる制御を行う際に、予め設定された輝度に基づいて、前記左眼用映像信号と前記右眼用映像信号とを前記出力部から前記３次元映像として出力させる場合よりも前記表示部の輝度を下げた状態で、前記出力部から前記２次元映像として出力させる制御を行うように構成されている、請求項４〜７のいずれか１項に記載の映像出力装置。
【請求項９】
前記出力部から出力された前記左眼用映像信号および前記右眼用映像信号を表示する表示部と、
前記表示部に出力される前記３次元映像を鑑賞するための眼鏡とをさらに備え、
前記制御部は、前記左眼用映像信号と前記右眼用映像信号とを所定のタイミングで交互に切り換えることにより前記出力部から前記３次元映像として出力させる制御を行うように構成されており、
前記比較部による比較結果に基づいて、前記左眼用映像信号と前記右眼用映像信号とが前記所定のタイミングで交互に切り換えられずに前記出力部から出力されることにより前記２次元映像として出力された状態から、前記左眼用映像信号と前記右眼用映像信号とが前記所定のタイミングで交互に切り換えられて前記出力部から出力されることにより前記３次元映像として出力される状態に移行される際に、前記制御部は、前記所定のタイミングに同期させて前記眼鏡を駆動させる制御を再開するとともに、前記表示部の輝度を、前記左眼用映像信号と前記右眼用映像信号とを前記３次元映像として出力する場合の輝度に戻す制御を行うように構成されている、請求項１〜８のいずれか１項に記載の映像出力装置。
【発明の詳細な説明】
【技術分野】
【０００１】
この発明は、映像出力装置に関し、特に、３次元映像を出力する出力部を備えた映像出力装置に関する。
【背景技術】
【０００２】
従来、３次元映像を出力する出力部を備えた映像出力装置などが知られている（たとえば、特許文献１参照）。
【０００３】
上記特許文献１には、観察者の左眼が見る映像（画像）と右眼が見る映像（画像）とを交互に切り換えて立体映像を表示することが可能な画像表示装置（映像出力装置）が開示されている。この画像表示装置では、観察者は、左眼用の画像と右眼用の画像とが切り換わる周期に同期して駆動される液晶シャッター付きの眼鏡を用いて立体映像を鑑賞するように構成されている。なお、この画像表示装置では、立体映像（３次元映像）のみならず非立体映像（２次元映像）も表示可能であり、２次元映像が表示される場合には、眼鏡の液晶シャッターは両眼とも「開」の状態に切り換えられる。
【先行技術文献】
【特許文献】
【０００４】
【特許文献１】特開平７−３３６７２９号公報
【発明の概要】
【発明が解決しようとする課題】
【０００５】
立体映像信号（３次元映像信号）を構成する左眼用の映像信号と右眼用の映像信号とは、少しずつ異なっている。つまり、観察者が左眼で見る左眼用画像と右眼で見る右眼用画像との間に人工的に視差を作リ出すことにより、左眼用画像および右眼用画像は各々が平面的に表示されるにも拘わらず、奥行感や立体感のような情報を観察者の脳内で認知させている。ここで、所定の時間に亘って放映される３次元映像には、観察者の両眼視差が所定の閾値以上となるシーンに加えて、両眼視差が前述の閾値未満であるシーンも含まれる場合がある。両眼視差が閾値以上であれば観察者にとってそのシーンは奥行感のある３次元映像として確実に認知される一方、両眼視差が閾値未満であれば３次元映像として視認される効果が低減される。つまり、両眼視差が閾値未満のシーンでは、実質的に立体映像として視認されなくなる場合がほとんどである。
【０００６】
上記特許文献１に記載された画像表示装置では、装置本体に入力される映像信号が明らかに２次元映像信号である場合には２次元映像を表示させるモードに切り換えられる一方、３次元映像を表示させるモードにおいて、入力される３次元映像信号に実質的に平面画像信号（２次元映像信号）とほとんど変わらない映像信号が含まれていた場合においても、３次元映像を表示させるモードが継続されると考えられる。３次元映像信号が平面画像信号とほとんど変わらない映像信号（映像シーン）では、両眼視差が極めて小さいので、立体映像としての認知効果は薄れる。したがって、この画像表示装置では、立体映像としての認知効果が薄れるような映像信号が入力されているにも拘わらず３次元映像信号を表示させるモードが継続されるため、立体映像を再現する機能を立体映像を再現する必要がない状況においても無駄に働かせていると考えられる。
【０００７】
この発明は、上記のような課題を解決するためになされたものであり、この発明の１つの目的は、立体映像を再現させる機能を最小限に抑えることが可能な映像出力装置を提供することである。
【課題を解決するための手段および発明の効果】
【０００８】
この発明の一の局面による映像出力装置は、左眼用映像信号と右眼用映像信号とを含む３次元映像を出力する出力部と、３次元映像の左眼用映像信号と右眼用映像信号とを比較する比較部と、比較部による比較結果に基づいて、左眼用映像信号と右眼用映像信号とが略同じであると判断した場合に、左眼用映像信号と右眼用映像信号とを出力部から２次元映像として出力させる制御を行う制御部とを備える。
【０００９】
なお、本発明における「２次元映像」とは、観察者によって２次元的（平面的）に鑑賞することが可能に構成された２次元的な映像信号によって構成された映像を含む広い概念である。
【００１０】
この発明の一の局面による映像出力装置では、上記のように、左眼用映像信号と右眼用映像信号とが略同じであると判断した場合に、左眼用映像信号と右眼用映像信号とを出力部から２次元映像として出力させる制御を行う制御部を備えることによって、この映像出力装置では、３次元映像信号を構成する左眼用映像信号と右眼用映像信号とが略同じであり立体映像の効果が薄らぐ場合には、立体映像を再現する機能を無理に使用することなく映像信号を出力することができる。つまり、立体映像の効果が期待できないような映像信号（２次元的な映像信号）が出力される場合に立体映像を再現する機能を不必要に使用しなくすることができる分、立体映像を再現させる機能を最小限に抑えることができる。これにより、映像出力装置における制御部の負荷を適切に抑制することができる。
【００１１】
上記一の局面による映像出力装置において、好ましくは、制御部は、左眼用映像信号と右眼用映像信号とを所定のタイミングで交互に切り換えることにより出力部から３次元映像として出力させる制御を行うように構成されており、制御部は、比較部による比較結果に基づいて、左眼用映像信号と右眼用映像信号とが略同じであると判断した場合に、左眼用映像信号と右眼用映像信号とを所定のタイミングで交互に切り換えずに出力部から出力させることにより、左眼用映像信号と右眼用映像信号とを２次元映像として出力させる制御を行うように構成されている。このように構成すれば、容易に、左眼用映像信号と右眼用映像信号とが略同じであると判断した場合に、左眼用映像信号と右眼用映像信号とを出力部から２次元映像として出力させることができる。
【００１２】
上記一の局面による映像出力装置において、好ましくは、制御部は、入力された３次元映像を左眼用映像信号と右眼用映像信号とに分離した状態で左眼用映像信号と右眼用映像信号とを比較部に比較させる制御を行うように構成されている。このように構成すれば、比較部において、左眼用映像信号と右眼用映像信号とを容易に比較することができる。また、分離された左眼用映像信号と右眼用映像信号とを容易に比較することができるので、制御部による左眼用映像信号と右眼用映像信号とが略同じか否かの判断を迅速に行うことができる。
【００１３】
上記一の局面による映像出力装置において、好ましくは、出力部から出力された左眼用映像信号および右眼用映像信号を表示する表示部をさらに備え、制御部は、左眼用映像信号と右眼用映像信号とを出力部から２次元映像として出力させる制御を行う際に、左眼用映像信号と右眼用映像信号とを出力部から３次元映像として出力させる場合よりも表示部の輝度を下げた状態で、出力部から２次元映像として出力させる制御を行うように構成されている。ここで、立体映像効果を得るために表示部に左眼用映像信号と右眼用映像信号とを所定のタイミングで交互に切り換えながら択一的に表示させる場合と異なり、左眼用映像信号と右眼用映像信号とをたとえば所定のタイミングで交互に切り換えずに略同じタイミングにより平面的な映像（２次元的な映像）として表示させる場合には映像の輝度（明るさ）が増加される。このため、２次元映像としての輝度が増加される分、表示部の輝度を下げるように構成すれば、２次元映像としての輝度を３次元映像を表示する場合の輝度と同等レベルに抑えることができる。この結果、立体映像を再現させる機能を最小限に抑えつつ、映像出力装置の消費電力を低減することができる。
【００１４】
上記表示部をさらに備える構成において、好ましくは、表示部は、３次元映像が表示される表示パネルと、表示パネルに光を照射する光源部とを含み、制御部は、左眼用映像信号と右眼用映像信号とを出力部から２次元映像として出力させる制御を行う際に、左眼用映像信号と右眼用映像信号とを出力部から３次元映像として出力させる場合よりも光源部の輝度を下げた状態で、出力部から２次元映像として出力させる制御を行うように構成されている。このように構成すれば、表示部を構成する光源部の輝度を下げるので、映像出力装置の消費電力を効果的に低減することができる。
【００１５】
上記表示部をさらに備える構成において、好ましくは、表示部に出力される３次元映像を鑑賞するための眼鏡をさらに備え、制御部は、左眼用映像信号と右眼用映像信号とを所定のタイミングで交互に切り換えることにより出力部から３次元映像として出力させる制御を行うとともに、所定のタイミングに同期させて眼鏡を駆動する制御を行うように構成されており、さらに、制御部は、左眼用映像信号と右眼用映像信号とを所定のタイミングで交互に切り換えずに出力部から出力させることにより２次元映像として出力させる制御を行う際に、所定のタイミングに同期させて眼鏡を駆動させる制御を停止するように構成されている。このように構成すれば、２次元映像としての出力時には、眼鏡についても３次元映像の出力に対応した駆動制御を行う必要がないので、ユーザは、眼鏡を装着した状態のままで表示部に２次元映像（２次元的な映像）として表示された映像を支障なく鑑賞することができる。また、眼鏡に対する駆動制御が行われない分、眼鏡を含む映像出力装置の消費電力をさらに低減することができる。
【００１６】
上記３次元映像を鑑賞するための眼鏡をさらに備える構成において、好ましくは、制御部は、所定のタイミングに同期させて眼鏡を駆動させる制御を停止した後に、左眼用映像信号と右眼用映像信号とを出力部から３次元映像として出力させる場合よりも表示部の輝度を下げた状態で、出力部から２次元映像として出力させる制御を行うように構成されている。このように構成すれば、立体映像の効果が薄らいだ映像に対して、まず眼鏡の駆動を停止したとしても、立体映像の効果が薄らいだ映像が支障なく鑑賞される分、ユーザに対して眼鏡の駆動が停止されたことに起因する違和感を与えにくくすることができる。その後、表示部の輝度を下げたとしても、ユーザは、表示部に２次元映像（２次元的な映像）として表示された映像を特に支障なく鑑賞することができる。
【００１７】
上記表示部をさらに備える構成において、好ましくは、制御部は、左眼用映像信号と右眼用映像信号とを出力部から２次元映像として出力させる制御を行う際に、予め設定された輝度に基づいて、左眼用映像信号と右眼用映像信号とを出力部から３次元映像として出力させる場合よりも表示部の輝度を下げた状態で、出力部から２次元映像として出力させる制御を行うように構成されている。このように構成すれば、予め設定された輝度に基づいて表示部の輝度の下げ幅を適切に調整することができるので、輝度の減少に起因した違和感をユーザに与えにくくすることができる。
【００１８】
上記一の局面による映像出力装置において、好ましくは、出力部から出力された左眼用映像信号および右眼用映像信号を表示する表示部と、表示部に出力される３次元映像を鑑賞するための眼鏡とをさらに備え、制御部は、左眼用映像信号と右眼用映像信号とを所定のタイミングで交互に切り換えることにより出力部から３次元映像として出力させる制御を行うように構成されており、比較部による比較結果に基づいて、左眼用映像信号と右眼用映像信号とが所定のタイミングで交互に切り換えられずに出力部から出力されることにより２次元映像として出力された状態から、左眼用映像信号と右眼用映像信号とが所定のタイミングで交互に切り換えられて出力部から出力されることにより３次元映像として出力される状態に移行される際に、制御部は、所定のタイミングに同期させて眼鏡を駆動させる制御を再開するとともに、表示部の輝度を、左眼用映像信号と右眼用映像信号とを３次元映像として出力する場合の輝度に戻す制御を行うように構成されている。このように構成すれば、２次元映像が出力されている状態から容易に３次元映像が出力される状態に復帰させることができる。
【図面の簡単な説明】
【００１９】
【図１】本発明の一実施形態による液晶テレビジョン装置の概略的な構成を示した図である。
【図２】本発明の一実施形態による液晶テレビジョン装置の構成を示したブロック図である。
【図３】本発明の一実施形態による液晶テレビジョン装置の詳細な構成を示したブロック図である。
【図４】本発明の一実施形態による液晶テレビジョン装置の制御フローを説明するための図である。
【発明を実施するための形態】
【００２０】
まず、図１〜図３を参照して、本発明の一実施形態による液晶テレビジョン装置１００の構成について説明する。なお、液晶テレビジョン装置１００は、本発明の「映像出力装置」の一例である。
【００２１】
本発明の一実施形態による液晶テレビジョン装置１００は、図１に示すように、映像を出力する表示部１と、音声を出力するスピーカ２と、装置本体が外部機器（付属機器）との通信を行うための通信部３とを備えている。また、液晶テレビジョン装置１００には液晶シャッターが内蔵された３Ｄ用眼鏡９０が付属されている。これにより、液晶テレビジョン装置１００では、表示部１に２次元映像に加えて３次元映像が表示可能であり、通信部３からの同期信号に基づいて駆動される３Ｄ用眼鏡９０を使用して、ユーザが３次元映像を鑑賞することが可能に構成されている。なお、表示部１は、本発明の「表示パネル」の一例である。
【００２２】
ここで、３次元映像は、ユーザの左眼に映る左眼用画像と右眼に映る右眼用画像とによって構成されている。したがって、３次元映像を再現するための３次元映像信号は、左眼用映像信号Ｌと右眼用映像信号Ｒとを含んでいる。液晶テレビジョン装置１００では、３Ｄ用眼鏡９０を装着したユーザの左眼に映される左眼用画像と右眼に映される右眼用画像とが、表示部１に所定の時間間隔で交互に表示されることにより、人工的に作り出された視差に基づいて、ユーザが鑑賞中の映像に奥行感や立体感を味わえるように構成されている。
【００２３】
また、液晶テレビジョン装置１００は、図２に示すように、装置本体内部に制御回路部１０を備えている。制御回路部１０は、外部に延びるケーブル（図示せず）を介してアンテナ５に接続されるとともに、装置本体内で表示部１およびスピーカ２に接続されている。これにより、放送局から送出されたテレビジョン放送波などの映像／音声信号を表示部１およびスピーカ２に出力することが可能に構成されている。また、制御回路部１０は、３Ｄ用眼鏡９０との通信を行う通信部３と、表示部１のバックライト光源となる光源部４とに接続されている。なお、３Ｄ用眼鏡９０は、本発明の「眼鏡」の一例である。
【００２４】
また、制御回路部１０は、アンテナ５を介して映像／音声信号を受信する受信部１１と、映像信号および音声信号の出入力を切り換えるＡＶセレクタ１２と、受信部１１からの映像／音声信号を復号するＡＶデコーダ１３と、ＡＶデコーダ１３を経由した映像信号に対する各種処理を行う映像処理部１４と、ＡＶセレクタ１２からの音声信号（ＡＶデコーダ１３を経由する音声信号を含む）を処理する音声処理部１５と、ＣＰＵからなり装置本体の制御を行う制御部１６と、制御プログラムや制御上の各種データが格納されたＲＯＭ（読取り専用メモリ）１７とを備えている。ここで、ＲＯＭ１７に記憶されている制御上のデータには、表示部１に光を照射する光源部４の輝度に関する設定値が含まれている。
【００２５】
また、制御回路部１０には、ＤＶＤレコーダなどの外部接続機器を液晶テレビジョン装置１００に接続するための外部入力端子１８が設けられている。これにより、受信部１１と同様に、外部入力端子１８からの入力信号（映像／音声信号）がＡＶセレクタ１２に伝達されるように構成されている。また、制御回路部１０の各構成要素は、バス（伝送路）１９によって互いに接続されることによって、制御信号および制御上の各種データを互いに送受信することが可能に構成されている。
【００２６】
ここで、映像処理部１４は、以下のように構成されている。具体的には、図３に示すように、映像処理部１４は、映像信号判別回路部２１と、映像信号分離回路部２２と、映像信号比較回路部２３と、映像信号出力回路部２４と、表示パネル出力回路部２５とを含んでいる。加えて、映像処理部１４は、映像信号変換回路部２６と、映像処理回路部２７と、眼鏡用信号送信回路部２８とをさらに含んでいる。なお、映像信号比較回路部２３および表示パネル出力回路部２５は、それぞれ、本発明の「比較部」および「出力部」の一例である。
【００２７】
映像信号判別回路部２１は、ＡＶデコーダ１３から映像処理部１４に入力された映像信号が３次元映像信号であるか、または、２次元映像信号であるかを判別する機能を有している。そして、映像信号判別回路部２１による映像信号の判別結果に基づいて、制御部１６（図２参照）により、入力された映像信号が映像信号分離回路部２２、映像信号比較回路部２３および映像信号出力回路部２４を経て表示パネル出力回路部２５に伝達されるか、または、映像信号判別回路部２１から表示パネル出力回路部２５に直接的に伝達されるかが制御されるように構成されている。本実施形態では、映像処理部１４に入力された映像信号が３次元映像信号であると判別された場合、映像信号分離回路部２２〜映像信号出力回路部２４を経て表示パネル出力回路部２５に伝達されるとともに、映像処理部１４に入力された映像信号が２次元映像信号であると判別された場合、映像信号判別回路部２１から直接表示パネル出力回路部２５に伝達されるように構成されている。
【００２８】
また、映像信号分離回路部２２は、映像信号判別回路部２１から伝達された３次元映像信号を、左眼用映像信号Ｌと右眼用映像信号Ｒとに分離する機能を有している。これにより、３次元映像信号が左眼用映像信号Ｌと右眼用映像信号Ｒとに分離された状態で、映像信号比較回路部２３に伝達される。映像信号比較回路部２３は、映像信号分離回路部２２から伝達された左眼用映像信号Ｌと右眼用映像信号Ｒとを比較する機能を有している。映像信号比較回路部２３により、左眼用映像信号Ｌと右眼用映像信号Ｒとの差異の有無が比較結果として制御部１６に返される。本実施形態では、映像信号比較回路部２３の比較結果（左右の映像信号間における差異の有り無し）に基づいて、左眼用映像信号Ｌと右眼用映像信号Ｒとに明確な差異があることが制御部１６により判断された場合、左眼用映像信号Ｌと右眼用映像信号Ｒとは、映像信号出力回路部２４に伝達される。なお、左眼用映像信号Ｌと右眼用映像信号Ｒとの差異の有無の判断基準については、制御部１６が実行する制御プログラム内に予め規定されている。
【００２９】
また、映像信号出力回路部２４は、左眼用映像信号Ｌと右眼用映像信号Ｒとを所定のタイミングで交互に切り換えながら表示パネル出力回路部２５に対して出力する機能を有している。本実施形態では、左眼用映像信号Ｌと右眼用映像信号Ｒとが約１２０分の１秒毎に交互に切り換えられながら表示パネル出力回路部２５に送出されるように構成されている。また、映像信号出力回路部２４は、左眼用映像信号Ｌと右眼用映像信号Ｒとを上記したタイミングで交互に切り換えることに同期させて、眼鏡用信号送信回路部２８に対して３Ｄ用眼鏡９０（図２参照）を駆動する同期信号を発生させるための制御信号を送出する機能を有している。
【００３０】
また、眼鏡用信号送信回路部２８は、映像信号出力回路部２４から受信した制御信号に基づいて、３Ｄ用眼鏡９０を駆動させるための同期信号を発生させる機能を有している。そして、眼鏡用信号送信回路部２８からの同期信号は、バス１９（図２参照）を経由して通信部３（図２参照）から３Ｄ用眼鏡９０に送信されるように構成されている。
【００３１】
また、通信部３から送信された同期信号は、３Ｄ用眼鏡９０の後述する通信部９３（図２参照）により受信されるように構成されている。３Ｄ用眼鏡９０の詳細な構成については後述するが、３Ｄ用眼鏡９０では、図２に示すように、通信部９３が受信した同期信号に基づいて、左眼用シャッター９５ａおよび右眼用シャッター９６ａの開閉動作が行われるように構成されている。
【００３２】
また、表示パネル出力回路部２５は、図３に示すように、映像信号出力回路部２４から所定のタイミング（約１２０分の１秒周期）で交互に切り換えられながら送出された左眼用映像信号Ｌと右眼用映像信号Ｒとを表示部１に出力する機能を有している。ＡＶデコーダ１３から映像処理部１４に入力された３次元映像信号がこのようにして表示部１に出力されることにより、３Ｄ用眼鏡９０を装着したユーザの左眼に映される左眼用画像と右眼に映される右眼用画像とが、表示部１に約１２０分の１秒毎に交互に表示されるように構成されている。
【００３３】
ここで、本実施形態では、映像信号比較回路部２３の比較結果（左右の映像信号間における差異の有り無し）に基づいて、左眼用映像信号Ｌと右眼用映像信号Ｒとに明確な差異がほとんどないことが制御部１６により判断された場合、左眼用映像信号Ｌと右眼用映像信号Ｒとは、映像信号比較回路部２３から映像信号変換回路部２６に送出されるように構成されている。そして、映像信号変換回路部２６において、左眼用映像信号Ｌと右眼用映像信号Ｒとを略同じタイミングに揃えた状態で表示パネル出力回路部２５に対して出力するように構成されている。すなわち、所定のタイミング（約１２０分の１秒周期）で交互に切り換えられる信号処理とは異なり、略同じタイミングに揃えられた左眼用映像信号Ｌと右眼用映像信号Ｒとが、映像処理部１４（表示パネル出力回路部２５）から表示部１に出力されるように構成されている。これにより、表示部１には映像処理部１４に入力された３次元映像信号が２次元的な映像として表示される。
【００３４】
また、本実施形態では、左眼用映像信号Ｌと右眼用映像信号Ｒとが表示パネル出力回路部２５から２次元的な映像として出力される際に、左眼用映像信号Ｌと右眼用映像信号Ｒとが表示パネル出力回路部２５から完全な３次元映像として出力される場合よりも表示部１の輝度を所定の明るさだけ減少させた状態で、左眼用映像信号Ｌと右眼用映像信号Ｒとを２次元的な映像として表示するように構成されている。この場合、制御部１６により表示部１に設けられた光源部４の輝度を減少させることにより表示部１の輝度を下げて表示するように構成されている。ここで、輝度を下げることなく２次元的な映像を表示した場合には、左眼用映像信号Ｌと右眼用映像信号Ｒと交互に表示されずに同時に表示される分、３次元映像よりも映像が明るくなる。本実施形態では、左眼用映像信号Ｌと右眼用映像信号Ｒが同時に表示される際に、表示部１側の輝度を減少させることによって、映像の明るさの増加分をキャンセルしている。これにより、２次元的な映像であっても、３次元映像の場合と略同等の明るさで映像が表示されるように構成されている。
【００３５】
また、本実施形態では、光源部４の輝度を下げる際、予めＲＯＭ１７に記憶されている輝度に関するデータ（設定値）を用いるように構成されている。この場合、３次元映像を表示する際の輝度よりも約８％以上約１２％以下の範囲において光源部４の輝度を一定の割合で減少させた状態で２次元的な映像が表示されるように構成されている。
【００３６】
また、本実施形態では、左眼用映像信号Ｌと右眼用映像信号Ｒとを２次元的な映像として出力する際、３次元映像信号に同期させて駆動させていた３Ｄ用眼鏡９０の動作を停止させる制御が行われるように構成されている。この場合、左眼用シャッター９５ａおよび右眼用シャッター９６ａの開閉動作が停止されて両方のシャッターとも「開」の状態に固定される。これにより、ユーザは、３Ｄ用眼鏡９０を装着したままの状態でも、表示部１に表示された２次元的な映像を鑑賞することが可能になる。なお、制御部１６の指令に基づいて、まず、３Ｄ用眼鏡９０の駆動が停止され、その後、表示部１の輝度が下げられて２次元的な映像が表示されるように構成されている。
【００３７】
また、３Ｄ用眼鏡９０は、制御部９１と、バッテリー（図示せず）などを含む電源部９２と、液晶テレビジョン装置１００側の通信部３との無線通信を行うための通信部９３と、左眼用ドライバ９５と、右眼用ドライバ９６とを備えている。また、電源部９２、通信部９３、左眼用ドライバ９５および右眼用ドライバ９６は、制御部９１に接続されている。
【００３８】
左眼用ドライバ９５は、液晶シャッターからなる左眼用シャッター９５ａを駆動するとともに、右眼用ドライバ９６は、液晶シャッターからなる右眼用シャッター９６ａを駆動するように構成されている。液晶テレビジョン装置１００の表示部１に３次元映像の左眼用画像が表示されている場合には、制御部９１は、３Ｄ用眼鏡９０の右眼用シャッター９６ａを閉じる（見えなくする）ことにより、ユーザの右眼に左眼用画像が入らないので、ユーザの左眼だけで表示部１の左眼用画像を観察することが可能に構成されている。同様に、表示部１に右眼用画像が表示されている場合には、制御部９１は、３Ｄ用眼鏡９０の左眼用シャッター９５ａを閉じることにより、ユーザの左眼に右眼用画像が入らないので、ユーザの右眼だけで表示部１の右眼用画像を観察することが可能に構成されている。これにより、ユーザが３Ｄ用眼鏡９０を装着した状態で、表示部１に表示される３次元映像を立体的に鑑賞することが可能とされている。
【００３９】
次に、図２〜図４を参照して、液晶テレビジョン装置１００により表示部１に３次元映像が表示される際の制御回路部１０の制御動作について説明する。
【００４０】
図４に示すように、まず、ステップＳ１では、映像信号判別回路部２１（図３参照）の判別機能に基づいて、ＡＶデコーダ１３（図２参照）から映像処理部１４（図２参照）に入力された映像信号が３次元映像信号であるか否かが制御部１６（図２参照）により判断される。このステップＳ１の判断は、映像信号判別回路部２１によって３次元映像信号が検出されるまで繰り返される。なお、映像信号判別回路部２１により完全な２次元映像信号が検出されている場合は、図３に示すように、入力された映像信号（２次元映像信号）は、映像信号判別回路部２１から表示パネル出力回路部２５に直接的に伝達されて、表示部１に出力される。また、ステップＳ１において、映像信号判別回路部２１によって３次元映像信号が検出されたと判断された場合には、ステップＳ２に進む。
【００４１】
ステップＳ２では、制御部１６の指令に基づいて、映像処理部１４に入力された３次元映像信号が、映像信号分離回路部２２により左眼用映像信号Ｌと右眼用映像信号Ｒとに分離される。その後、ステップＳ３において、制御部１６の指令に基づいて、分離された左眼用映像信号Ｌと右眼用映像信号Ｒとが、映像信号比較回路部２３により比較される。そして、映像信号比較回路部２３により、左眼用映像信号Ｌと右眼用映像信号Ｒとの差異の有無が比較結果として制御部１６に送出される。
【００４２】
そして、ステップＳ４において、映像信号比較回路部２３の比較結果（左右の映像信号間における差異の有り無し）に基づいた判断が制御部１６により行われる。つまり、分離された左眼用映像信号Ｌと右眼用映像信号Ｒとに明確な差異がほとんどない状態か否か（左眼用映像信号Ｌと右眼用映像信号Ｒとが略同じ信号か否か）の判断が行われる。
【００４３】
ここで、本実施形態では、ステップＳ４において、分離された左眼用映像信号Ｌと右眼用映像信号Ｒとが明確な差異がほとんどない状態（左眼用映像信号Ｌと右眼用映像信号Ｒとが略同じ信号である状態）ことが判断された場合、ステップＳ５において、分離された左眼用映像信号Ｌと右眼用映像信号Ｒとは、制御部１６の指令に基づいて映像信号変換回路部２６に伝達される。これにより、分離された左眼用映像信号Ｌと右眼用映像信号Ｒとが明確な差異がほとんどない状態の３次元映像信号が、左眼用映像信号Ｌと右眼用映像信号Ｒとを略同じタイミングに揃えて出力するような２次元的な映像信号に作り換えられる。
【００４４】
また、本実施形態では、次のステップＳ６において、制御部１６の指令に基づいて眼鏡用信号送信回路部２８から３Ｄ用眼鏡９０を駆動させるための同期信号を発生させる動作が停止される。これにより、眼鏡用信号送信回路部２８からの同期信号を受信しない３Ｄ用眼鏡９０は、左眼用シャッター９５ａおよび右眼用シャッター９６ａの開閉動作が停止されるとともに、両方のシャッターが常に「開」の状態に移行される。
【００４５】
その後、ステップＳ７において、制御部１６の指令に基づいて表示部１の輝度が下げられる。この際、ＲＯＭ１７に記憶されている輝度値に基づいて光源部４の輝度が低下される。これにより、表示部１に３次元映像が表示される場合よりも約８％以上約１２％以下の範囲で光源部４の輝度が低下（減少）される。
【００４６】
そして、ステップＳ８では、表示部１の輝度が下げられた状態で、完全な３次元映像信号から２次元的な映像信号に作り換えられた映像信号が、表示パネル出力回路部２５から表示部１に出力される。これにより、表示部１には、左眼用映像信号Ｌと右眼用映像信号Ｒとが同じタイミングで出力された２次元的な映像が表示される。
【００４７】
一方、ステップＳ４において、分離された左眼用映像信号Ｌと右眼用映像信号Ｒとが互いに明確に異なる映像信号である（確実に３次元映像信号である）ことが判断された場合、本実施形態では、ステップＳ９において、眼鏡用信号送信回路部２８から３Ｄ用眼鏡９０を駆動させるための同期信号を発生させる動作が行われる。これにより、３Ｄ用眼鏡９０では、左眼用シャッター９５ａおよび右眼用シャッター９６ａが周期的に「開」の状態と「閉」の状態とを繰り返す状態に移行される。
【００４８】
その後、ステップＳ１０において、現在の表示部１の輝度が低い状態であるか否かの判断が制御部１６により行われる。ステップＳ１０において、現在の表示部１の輝度が低い状態であると判断された場合、ステップＳ１１では、表示部１の輝度が３次元映像の表示に適した通常の明るさに戻される。つまり、本実施形態では、ステップＳ５〜Ｓ８までの制御により、表示部１の輝度を下げて２次元的な映像が表示されている状態から、再度、完全な３次元映像を表示する場合には、表示部１の輝度が通常の明るさに戻される前に、３Ｄ用眼鏡９０を駆動させる同期信号の発生を再開させている。
【００４９】
最後に、ステップＳ１２において、完全な３次元映像信号として判別された映像信号が、表示パネル出力回路部２５から表示部１に出力される。
【００５０】
また、ステップＳ１０において、現在の表示部１の輝度が通常の明るさであると判断された場合には、ステップＳ１０からステップＳ１２に進み、完全な３次元映像信号として判別された映像信号が、表示パネル出力回路部２５から表示部１に出力される。このようにして、液晶テレビジョン装置１００により３次元映像が表示される際の制御動作が実行される。
【００５１】
本実施形態では、上記のように、制御部１６によって左眼用映像信号Ｌと右眼用映像信号Ｒとに明確な差異がない（左眼用映像信号Ｌと右眼用映像信号Ｒとが略同じ信号である）ことが判断された場合に、左眼用映像信号Ｌと右眼用映像信号Ｒとを所定のタイミング（約１２０分の１秒周期）で交互に切り換えずに表示パネル出力回路部２５から出力させることにより左眼用映像信号Ｌと右眼用映像信号Ｒとを２次元的な映像として表示部１に出力させることによって、この液晶テレビジョン装置１００では、３次元映像信号を構成する左眼用映像信号Ｌと右眼用映像信号Ｒとが略同じであり立体映像の効果が薄らぐ場合には、立体映像を再現する機能を無理に使用することなく映像信号（左眼用映像信号Ｌおよび右眼用映像信号Ｒ）を出力することができる。つまり、立体映像の効果が期待できないような映像信号が出力される場合に立体映像を再現する機能を不必要に使用しなくすることができる分、立体映像を再現させる機能を最小限に抑えることができる。これにより、液晶テレビジョン装置１００の制御回路部１０における制御部１６の負荷を適切に抑制することができる。
【００５２】
また、本実施形態では、映像処理部１４に入力された３次元映像信号を映像信号分離回路部２２を用いて左眼用映像信号Ｌと右眼用映像信号Ｒとに分離した後、分離された左眼用映像信号Ｌおよび右眼用映像信号Ｒを映像信号比較回路部２３を用いて比較することによって、映像信号比較回路部２３において、左眼用映像信号Ｌと右眼用映像信号Ｒとを容易に比較することができる。また、分離された左眼用映像信号Ｌと右眼用映像信号Ｒとを容易に比較することができるので、比較結果（左眼用映像信号Ｌと右眼用映像信号Ｒとの差異の有り無し）を参照する制御部１６の判断を迅速に行うことができる。
【００５３】
また、本実施形態では、左眼用映像信号Ｌと右眼用映像信号Ｒとを表示パネル出力回路部２５から２次元映像として出力させる際に、左眼用映像信号Ｌと右眼用映像信号Ｒとを表示パネル出力回路部２５から３次元映像として出力させる場合よりも表示部１の輝度を下げた状態で、表示パネル出力回路部２５から２次元的な映像として出力させている。ここで、立体映像効果を得るために表示部１に左眼用映像信号Ｌと右眼用映像信号Ｒとを所定のタイミング（約１２０分の１秒周期）で交互に切り換えながら択一的に表示させる場合と異なり、左眼用映像信号Ｌと右眼用映像信号Ｒとを略同じタイミングにより平面的な映像（２次元的な映像）として表示させる場合には映像の輝度（明るさ）が増加される。このため、２次元的な映像としての輝度が増加される分、表示部１の輝度を下げるように構成すれば、２次元的な映像としての輝度を３次元映像を表示する際の輝度と同等レベルに抑えることができる。この結果、立体映像を再現させる機能を最小限に抑えつつ、液晶テレビジョン装置１００の消費電力を低減することができる。
【００５４】
また、本実施形態では、表示部１の輝度を下げる際、表示部１に設けられた光源部４の輝度を下げているので、液晶テレビジョン装置１００の消費電力を効果的に低減することができる。
【００５５】
また、本実施形態では、左眼用映像信号Ｌと右眼用映像信号Ｒとを所定のタイミング（約１２０分の１秒周期）で交互に切り換えずに表示パネル出力回路部２５から出力させることにより２次元的な映像として出力させる際に、所定のタイミングに同期させて３Ｄ用眼鏡９０を駆動させる制御を停止することによって、２次元的な映像としての出力時には、３Ｄ用眼鏡９０についても３次元映像の出力に対応した駆動制御を行う必要がないので、ユーザは、３Ｄ用眼鏡９０を装着した状態のままで表示部１に２次元的な映像として表示された映像を支障なく鑑賞することができる。また、３Ｄ用眼鏡９０における左眼用シャッター９５ａおよび右眼用シャッター９６ａの開閉動作が行われない分、３Ｄ用眼鏡９０の電源部９２の消費電力を低減することができる。
【００５６】
また、本実施形態では、３次元映像用としての３Ｄ用眼鏡９０を駆動させる制御（左眼用シャッター９５ａおよび右眼用シャッター９６ａの開閉動作）を停止した後に、左眼用映像信号Ｌと右眼用映像信号Ｒとを表示パネル出力回路部２５から３次元映像として出力させる場合よりも表示部１の輝度を下げた状態で、表示パネル出力回路部２５から２次元的な映像として出力させることによって、立体映像の効果が薄らいだ映像に対して、まず３Ｄ用眼鏡９０の駆動を停止したとしても、立体映像の効果が薄らいだ映像が支障なく鑑賞される分、ユーザに対して３Ｄ用眼鏡９０の駆動が停止されたことに起因する違和感を与えにくくすることができる。その後、表示部１の輝度を下げたとしても、ユーザは、表示部１に２次元的な映像として表示された映像を特に支障なく鑑賞することができる。
【００５７】
また、本実施形態では、左眼用映像信号Ｌと右眼用映像信号Ｒとを表示パネル出力回路部２５から２次元的な映像として出力させる制御を行う際に、ＲＯＭ１７に予め記憶された輝度に関する設定値に基づいて、左眼用映像信号Ｌと右眼用映像信号Ｒとを表示パネル出力回路部２５から３次元映像として出力させる場合よりも表示部１の輝度を下げた状態で、表示パネル出力回路部２５から２次元的な映像として出力させることによって、予め設定された輝度に基づいて表示部１の輝度の下げ幅を適切に調整することができるので、輝度の減少に起因した違和感をユーザに与えにくくすることができる。また、予め設定された輝度の下げ幅を用いるので、制御部１６において液晶テレビジョン装置１００の消費電力をきめ細かく管理することができる。
【００５８】
また、本実施形態では、映像信号比較回路部２３による比較結果に基づいて、左眼用映像信号Ｌと右眼用映像信号Ｒとが所定のタイミングで交互に切り換えられずに表示パネル出力回路部２５から出力されることにより２次元的な映像として出力された状態から、左眼用映像信号Ｌと右眼用映像信号Ｒとが所定のタイミング（約１２０分の１秒周期）で交互に切り換えられて表示パネル出力回路部２５から出力されることにより完全な３次元映像として出力される状態に移行される際に、所定のタイミングに同期させて３Ｄ用眼鏡９０を駆動させる制御を再開した後、表示部１の輝度を、左眼用映像信号Ｌと右眼用映像信号Ｒとを３次元映像として出力する場合の輝度に戻すことによって、２次元的な映像が出力されている状態から容易に３次元映像が出力される状態に復帰させることができる。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記実施形態では、表示部１を備えた液晶テレビジョン装置１００に本発明を適用した例について示したが、本発明はこれに限られない。３次元映像を出力することが可能な出力部を備えた映像出力装置であれば、液晶テレビジョン装置１００以外の、たとえばＤＶＤプレーヤ装置や、ケーブルテレビ信号などを液晶モニタなどの表示装置に入力するためのセットトップボックス（信号変換装置）などに適用してもよい。この場合、映像出力装置としてのＤＶＤプレーヤ装置またはセットトップボックスに設けられた制御部が、２次元的な映像を表示させる際に表示装置の輝度を下げる制御を行うように構成されていることが好ましい。また、本発明の３次元映像を鑑賞するための「眼鏡」についても、映像出力装置側の付属機器であってもよいし、表示装置側の付属機器であってもよい。本発明の「制御部」が表示装置に２次元的な映像を表示させる際に、３次元映像を鑑賞する際に駆動されていた眼鏡の駆動を停止する制御が行えるように構成されていればよい。
【００６１】
また、上記実施形態では、２次元的な映像を出力する際に、３Ｄ用眼鏡９０を駆動させる制御を停止した後に、表示部１の輝度を下げた状態で表示パネル出力回路部２５から２次元的な映像を出力させるように構成した例について示したが、本発明はこれに限られない。本発明では、２次元的な映像を出力する際に、３Ｄ用眼鏡９０を駆動させる制御を停止するのと略同じタイミングで表示部１の輝度を下げて２次元的な映像を出力するように構成してもよい。
【００６２】
また、上記実施形態では、本発明の「制御部」としての機能を、制御回路部１０内の映像処理部１４以外の部分に設けられた制御部１６が担うように構成した例について示したが、本発明はこれに限られない。たとえば、本発明の「制御部」を映像処理部１４の内部に設けるように構成してもよい。
【００６３】
また、上記実施形態では、左眼用映像信号Ｌと右眼用映像信号Ｒとを２次元的な映像として表示する際に光源部４の輝度を一定の割合で減少させるように構成した例について示したが、本発明はこれに限られない。たとえば、３次元映像から２次元的な映像に表示が切り換えられる際に、光源部４の輝度を段階的に減少させるように構成してもよい。これにより、３次元映像から２次元的な映像に切り換わることを境にして表示部１の輝度が不自然に変化することをユーザに認識させにくくすることができる。また、２次元的な映像から完全な３次元映像に表示が切り換えられる際においても、表示部１の輝度を徐々に通常の明るさに戻すように構成してもよい。
【００６４】
また、上記実施形態では、左眼用映像信号Ｌと右眼用映像信号Ｒとを２次元的な映像として表示する際に表示部１（光源部４）の輝度を減少させるように構成した例について示したが、本発明はこれに限られない。たとえば、左眼用映像信号Ｌと右眼用映像信号Ｒとを略同じタイミングで表示する際のリフレッシュレートを変更することによって表示部１の輝度を減少させるように構成してもよい。たとえば、３次元映像では約１２０分の１秒の周期で左眼用映像信号Ｌと右眼用映像信号Ｒとを交互に切り換えて表示させていたところを、２次元的な映像にする場合には、約１２０分の１秒の周期よりも長い周期（たとえば、約７５分の１秒の周期）で、かつ、ユーザに映像のちらつきが視認されない程度の周期に調整した上で、左眼用映像信号Ｌと右眼用映像信号Ｒとを同時に表示／非表示を繰り返すように制御してもよい。これによっても、表示部１の輝度を減少させることができる。
【００６５】
また、上記実施形態では、２次元的な映像を出力した状態から完全な３次元映像を出力する状態に移行する際に、３Ｄ用眼鏡９０を駆動させる制御を再開した後、表示部１の輝度を元の明るさに戻すように構成した例について示したが、本発明はこれに限られない。本発明では、３Ｄ用眼鏡９０を駆動させる制御を再開させるのと略同じタイミングで表示部１の輝度を元の明るさに戻してもよい。
【００６６】
また、上記実施形態では、説明の便宜上、制御部１６の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００６７】
１  表示部（表示パネル）
４  光源部
１６  制御部
２３  映像信号比較回路部（比較部）
２５  表示パネル出力回路部（出力部）
９０  ３Ｄ用眼鏡（眼鏡）
１００  液晶テレビジョン装置（映像出力装置）
Ｌ  左眼用映像信号
Ｒ  右眼用映像信号
【図１】
2012235218.tif 000003
【図２】
2012235218.tif 000004
【図３】
2012235218.tif 000005
【図４】
2012235218.tif 000006